(57)【要約】      （修正有）【課題】ワイヤーを対象物より迅速に緊縛、解放する。【解決手段】少なくとも一本のワイヤー１０に作用する固定装置１５を提案するものである。この装置１５は、第一の窪み部がワイヤー１０のための第一の通路を画定する本体を含み、さらに、この装置は第一の固定部材と、本体１８に連関する第一の固定部材の第一の案内手段と、通路内でワイヤー１０の線条部分に対して支承方向に第一の固定部材を付勢するために設けられる第一の弾性手段とを含み、固定装置は第一の固定部材と第一の通路との共働による挟持効果でワイヤー１０の線条部分を固定させる働きをする。固定装置に設けた第一の窪み部が開いていて、ワイヤー１０の線条部分を通路の方向とは別の方向内に挿入あるいは解除できるようにする。【選択図】図１
2007195983.tif 000002
【特許請求の範囲】
【請求項１】
少なくとも１の紐部材（１０）に作用を及ぼす固定装置（１５）であって、該装置（１５）は本体（１８）を含み、その第一の窪み部（３３）は前記紐部材（１０）のための第一の通路（３４）を画定し、前記装置（１５）は、第一の固定部材（３７）と；前記本体（１８）に対する第一の固定部材（３７）の第一案内手段（３８）と；前記通路（３４）内で前記紐部材（１０）の支承方向に前記第一の固定部材（３７）を付勢するために設けられる第一の弾性手段（３９）とを有し、前記固定装置は前記第一の固定部材（３７）が前記第一の通路（３４）と共働する挟持効果によって、前記線条部材（１０）を固定するよう構成されるものにおいて、
前記第一の窪み部（３３）が前記通路（３４）の方向以外の方向に、前記紐部材（１０）の線条部分を導入させたり、あるいは離脱させたりできるように開いていることを特徴とするワイヤー等の紐部材固定装置。
【請求項２】
前記本体（１８）が、本体の自由面（２４）ならびに第一のアイランド（３１）の側部から突き出る長手方向稜部（３０）を含み、前記第一の窪み部（３３）は前記長手方向稜部（３０）と前記第一のアイランド（３１）との間に延在し、また、支承面（２３）が前記第一の窪み部（３３）の底部を画定し、前記第一の窪み部（３３）が前記紐部材（１０）のための第一の通路を画定する請求項１記載の固定装置（１５）。
【請求項３】
前記固定部材（３７）が前記第一のアイランド（３１）の開いた窪み部（４６）内に収容される区域（４５）を含む請求項２記載の固定装置（１５）。
【請求項４】
前記区域（４５）が、線条部材（１０）に押し当たるようになっている歯部（４８）を有し、前記稜部（３０）が前記区域（４５）に向き合う歯部（５３）を有する請求項３記載の固定装置（１５）。
【請求項５】
前記案内手段（３８）が前記区域（４５）から出ているピン（４９）、ならびに前記アイランド（３１）の窪み部（３１）内に配置される案内部材（５０）を含み、前記案内部材（５０）は前記ピン（４９）を受け入れて案内するようになっている請求項３または４記載の固定装置（１５）。
【請求項６】
前記弾性手段（３９）がバネ（５１）を含み、前記バネ（５１）は、前記本体（１８）の第一縁部（２１）と前記区域（４５）との間で、前記第一アイランド（３１）の窪み部（４６）内に延在する請求項３、４または５記載の固定装置（１５）。
【請求項７】
前記バネ（５１）と前記区域（４５）とが２つの別個の部材からなる請求項６記載の固定装置（１５）。
【請求項８】
前記バネ（５１）と前記区域（４５）とが単一の成形体を形成する請求項６記載の固定装置（１５）。
【請求項９】
留め輪（６１）を有する請求項２〜８のいずれかに記載の固定装置（１５）。
【請求項１０】
前記留め輪（６１）が、第一のアイランドから出ている延長部（６２）を有する請求項９記載の固定装置（１５）。
【請求項１１】
第二の固定装置（１６）に一体連結される請求項１〜１０のいずれかに記載の固定装置（１５）。
【請求項１２】
請求項１〜１１のいずれかに記載の固定装置（１５、１６）を有するワイヤー（１０）の緊縛装置。
【請求項１３】
請求項１〜１１のいずれかに記載の固定装置（１５、１６）を有する靴（１）。
【請求項１４】
高胴部を含む請求項１３記載の靴（１）。
【発明の詳細な説明】
【技術分野】
【０００１】
本発明はケーブル、コード、紐、あるいは、類似の外見を有する他の任意の製品等に用いられる柔軟な線条部材を固定するための機械的な装置に関する。
【０００２】
詳細には、本発明は靴を緊縛するための靴紐締め付け装置に関するものである。また、本発明は紐固定装置を備えた靴、あるいは紐固定装置を備えた紐緊縛システムに関するものである。
【０００３】
更に詳しく述べると、本発明はスポーツの分野、とりわけスノーサーフィン（すなわち、スノーボード）用の靴、ゲレンデ滑走用の靴、距離スキー（クロスカントリー・スキー）用の靴、スケートボード用の靴、サイクリング用の靴、ワンダーフォーゲル用の靴、ハイキング用の靴、等々、ならびにビンディングの締め付けシステム、あるいは、このような柔軟な線条部材を含むバックパックなどの製品で、これらの製品またはそれら製品の諸部分を緊縛および／または押圧したりするためのものに関する。
【背景技術】
【０００４】
柔軟な線条部材を固定するための装置を用いることは知られている。
【０００５】
例えば、特許文献１は、少なくとも１本のワイヤーに作用を及ぼす固定装置を開示している。この固定装置は本体を含み、ワイヤーのための通路を画定する窪み部を備え、さらに、この装置は固定部材と、本体に対して固定部材を案内する手段と１の弾性手段とを有する。この弾性手段は通路内でワイヤーを支承する方向に固定部材を付勢する。特許文献１に記載の装置は、固定部材と通路との共働による挟持効果により、ワイヤーを固定する。もちろん、このワイヤーは、いわゆる「挟持」と称する方向に固定され、かつ、この挟持方向とは反対の方向に、本体に対して相対的に滑動自在となる。この固定作用はワイヤーに対する引張力が大きければ大きいだけ益々強くなる。したがって、この固定装置は、一回の引張作用において、ワイヤーの安定した維持を保証するとともに、いかなる不測の緩みをも回避する。このような装置を靴に使用すると、靴胴部はその使用中は緊縛状態に維持される。ワイヤーを緩めるには、固定部材に連動したボタンを手動させて行う。つまり、この固定装置により締め付けた部分を同じく手動により付勢させて行う。例えば、この装置を靴の胴１１部を緊縛するために用いる場合、解除用ボタンを作用させるとともに胴部の腰革を引き離す必要がある。この離間作用により挟持方向とは反対の方向に、本体に対してワイヤーの移動を生じさせる。緊縛した対象物の解放は直ぐには生じない。この対象物を完全に解放させる操作には時間が掛かり、かつ、この操作の完熟のためには実習が必要である。つまり、特許文献１に記載の装置を用いて緊縛した対象物は、僅かばかり長く、かつ複雑である。
【特許文献１】フランス特許第２８２７４８６号
【発明の開示】
【発明が解決しようとする課題】
【０００６】
本発明の目的の一つは改良された固定装置を提案することにある。他の目的の一つは対象物をより迅速に緊縛したり、解放したりすることにある。さらに本発明の他の目的は、対象物の緊縛あるいは解放をより簡単に行わせることにある。
【０００７】
更に、特定的に述べるならば、本発明の目的の１つは、装置の操作を行うのに必要とする時間と同程度に、靴の緊縛および解放を容易にすることにある。
【０００８】
そのようなわけで、本発明は、少なくとも１本のワイヤーに作用する固定装置を提案するものであり、この装置は、第一の窪み部がワイヤー用の第一の通路を画定する本体を含み、さらに、この装置は第一の固定部材と、本体に対する第一の固定部材用の案内手段と、通路内でワイヤーの線条部分を支承方向に第一の固定部材を付勢するために設けた第一の弾性手段とを含み、固定装置は第一の固定部材が第一の通路と共働して挟持効果を発揮させることによりワイヤーの線条部分を固定させる働きをする。
【０００９】
本発明による固定装置の特徴は、第一の窪み部が開いていて、ワイヤーの線条部分を通路の方向とは別の方向にこのワイヤーの挿入あるいは解放を可能にすることにある。
【００１０】
それゆえ、ワイヤーをその通路に沿って滑動させることなしに、固定装置の外でワイヤーの線条部分を解放することが可能である。このようにワイヤーの線条部分を解放することは、固定装置の部材を付勢する必要なしに、或いはまた、固定装置に連接される対象物の諸部分を移動させたり、あるいは付勢したりする必要なしに行われる。
【００１１】
実際、ワイヤーの線条部分の解放は、他の１つの動作を除いて、ワイヤーそれ自体に対する別の単純な動作によって行われる。
【００１２】
もちろん、このワイヤーは、この固定装置が解放されるとすぐに、装置によって最早維持されなくなる。このことから引き出される当然の帰結は、ワイヤーが解放されるとき、この固定装置に連接される対象物が、最早閉鎖されたり、あるいは締め付けられたりすることがないということである。このことは、とりわけ靴の場合に実証される。
【００１３】
これらの配置構成に由来する利点は、とりわけ、本発明による装置に関連するか、または、装置を含む対象物の緊縛解除が迅速かつ簡単に行われるということである。  また、この緊縛は迅速かつ簡単である。
【発明を実施するための最良の形態】
【００１４】
本発明の他の特徴および利点は、本発明がどのようにして実現できるかを示す非限定的な実施態様を示す添付の図面を参照して、以下に述べる本発明に関する説明を読むことにより、更に良く理解されよう。
【００１５】
以下に記載する実施形態は、とりわけスノーボードの分野に関するものであるが、先に記載したような他の分野にも応用可能であると理解すべきである。
【００１６】
以下に記載する実施形態を、図１〜図６に示す。
【００１７】
図１に示すように、スノーボード用の靴１は、靴胴部３を乗せた歩行用の靴底２を備えている。靴胴部３の開口部４は、長手方向に配設され、かつ胴部の上部に形成される円形の開口６に連なるスロット部５を有する。このスロット部５は、外側腰革７と内側腰革８とを分離させ、これにより腰革７、８を互いに遠ざけたり近づけたりして靴の着脱が可能となる。円形の開口部６は、靴使用者の脚低部を通過させる働きをする。さらに補足すると、小舌状部９を設けてスロット５を塞ぐようにする。
【００１８】
靴胴部３を締め付けたり、緩めたりするには、可逆的な締め付け手段を設ける。この手段は、外側腰革７と内側腰革８を互いに近づけたり、あるいは反対に離間させたりするのに役立つワイヤーあるいは紐１０を備えている。この紐部材１０は両方の腰革７、８の間にあるスロット５の箇所で所定の経路を回走する。腰革７、８の縁部でスロットの各々の側に配設される留め輪１１は、紐部材１０を案内するためのものである。
【００１９】
また、胴部３の緊縛手段は、紐部材１０を固定する第一の装置１５と第二の装置１６とを有する。これらの装置は、後程よく分かるように、互いに一体連結されている。例えば、装置１５、１６は、ネジ留め、リベット留め、貼着、縫い取り、等々の適宜な手段により、小舌状部９に固定される。
【００２０】
さらに詳しく述べると、固定装置１５、１６は小舌状部の自由端１７辺りに位置している。これにより、後で良く分かるように、靴胴部３の緊縛手段をよりたやすく操作できる。しかしながら、別のやり方として、固定装置１５、１６を小舌状部材９の他の箇所に位置させるか、あるいはまた、例えば腰革の箇所で靴胴部３に単独で、あるいは集合体で固定させるようにしてもよい。
【００２１】
本発明によれば、とりわけ図２および図３で示すように、固定装置１５、１６は「本体１８」と一般に呼ばれている部材を含む。この本体は２の固定装置１５、１６の箇所に延在し、靴の製作を容易にする。第二の固定装置１６は本体１８を介して第一の固定装置に連接されるか、あるいは一体連結される。このことは、第一の固定装置１５が本体１８を介して第二の固定装置１６に一体連結されると言うことと同じになってしまう。これら固定装置１５、１６の各々が、別々の本体を備えるようにしてもよいことはもちろんである。
【００２２】
本体１８は、第一の端部１９と第二の端部２０の間で長手方向に延在し、第一の縁部２１と第二の縁部２２の間で横断方向に延在し、また支承面２３と自由面２４の間で一定の高さを有して延在する。支承面は靴胴部３（この場合には小舌状部９）に固定されるようにする。その結果として、自由面２４は靴胴部３の外側に直接到達可能となる。
【００２３】
本体１８と固定装置１５、１６は本体１８の長手方向中央軸Ｌｏに対して対称的である。
【００２４】
例えば、本体１８は、自由端２４の側方から突き出ている長手方向中央稜部３０を含む。この本体１８は更に第一の縁部２１の側に第一のアイランド３１ならびに第二の縁部２２の側に第２のアイランド３２を備えている。これらのアイランド３１、３２は長手方向軸Ｌｏに沿って対称的であるが、対称的でなくてもよい。
【００２５】
第一の固定装置１５は第一のアイランド３１と、このアイランドに向き合う稜部の一部分とを含む。第二の固定装置１６は第二のアイランド３２と、このアイランドに向き合う稜部３０の一部分とを含む。
【００２６】
固定装置１５と１６は同一の方式で構成されているので、説明の便宜上これら装置の１（例えば第一の装置）についてのみ以下に詳述する。
【００２７】
図１〜図６の組立体を参照して分かるように、第一の固定装置１５は、長手方向の稜部３０と第一のアイランド３１の間で、第一端部１９から第二端部２０まで延在する第一の窪み部３３を有する。この第一の窪み部３３もまた、支承面２３に沿って延在し、この支承面は第一の窪み部３３の底部を画成する。したがって、この第一の窪み部３３はワイヤーあるいは紐部材１０を通すための第一の通路３４を画定する。この通路３４は第一の開口部３５により、第一端部１９へ向けて長手方向に画成されるとともに、第二の開口部３６により第二端部２０へ向けて長手方向に画成される。したがって、紐部材１０は、開口３５、３６の間で、支承面２３に平行に開口部３５、３６の間で通路３４内を滑動することができる。
【００２８】
通路３４内で、この通路または支承面２３に平行な方向に紐部材１０を一時的に不動固定するためには、第一の固定手段を予め用意する。この固定手段は紐部材１０によって靴１の締め付け方向に滑動可能にするとともに、締め付けを解除する方向に紐部材の滑動を妨げる。ここで”滑動方向”とは、後程良く分かるように、本体の第一端部１９から第二端部２０へ向かう滑動方向を指す。もちろん、反対の方向（つまり、固定方向）とは、第二端部２０から第一端部１９へ向かうことを指す。
【００２９】
第一の固定手段は、第一の固定部材３７と、本体１８に関連する前記第一の固定部材３７の第一の案内手段３８と、第一の通路３４内でワイヤー（紐部材）１０の線条部分に対して支承方向に第一の固定部材３７を付勢するために設けられる第一の弾性手段３９とを含む。
【００３０】
固定部材３７は、例えば、第一のアイランド３１の窪んだ開口４６内に収容される区域４５を含む。この区域４５は、アイランド３１の開口部４７を介して第一の通路３４内にある窪み部４６から突出している。区域４５は紐部材１０に支承させるために設けられた歯部４８を有する。
【００３１】
第一の案内手段３８自体は、区域４５から出ているピン４９ならびにアイランド３１の窪み部４６内に設置される案内部材５０を含み、この案内部材はピン４９を受けて案内するようになっている。このピン４９は円筒形状で表され、かつ区域４５と単一成形体で形作るようになっている。しかしながら、代替手段として、小舌状ピンのような他の形状のピン、ならびに嵌合型のピンのような区域４５に一体連結する他の手段を案出してもよい。
【００３２】
案内部材５０は、第一のアイランド３１の窪み４６に向き合って、自由面２４内に設置する溝の形で製作される。溝５０は、第二の端部２０から離れようとするとき、溝５０が稜部に接近するようアイランド３１の窪み部４６内に延在する。換言すれば、第二端部２０から第一端部１９へ向けて、案内部材５０が中央稜部３０の方へこのピン４９を導く。その結果、この案内部材５０もまた、区域４５を稜部３０へと導く。溝は緩やかに湾曲しているが、真っ直ぐであってもよい。
【００３３】
最後に、第一の弾性手段３９は固定部材を、したがって区域４５を、第二端部２０の離間方向に、また稜部３０あるいは第一の通路３４の接近方向に常時付勢する。換言すれば、第一の弾性手段３９は紐部材１０の固定方向に固定部材を付勢する。第一の弾性手段３９はバネ５１を含み、その全体形状はＣ字状をしている。このバネは、第一の縁部２１と区域４５との間で、第一のアイランド３１の窪み部内に延在する。バネ５１は第一の縁部２１と区域４５内に嵌め込まれる。それゆえ、バネ５１と区域４５は別個の２部材である。しかしながら、別の選択肢として、バネ５１と区域４５を単一成形体としてもよい。
【００３４】
第一の紐固定装置１５を組み立てるには、区域４５とバネ５１を支承面２３の側にあるアイランド３１の窪み部内に差し込む。第一の紐固定装置１５に対する結合を確実なものとするためには、支承面２３の側にある窪み部４６の閉鎖用覆い５２を用意する。この閉鎖用覆いを何らかの手段で閉鎖用覆い（本体）１８に固定する。例えば、この覆いに嵌め込み、貼付、などにより一体連結する。バネ５１は区域４５を稜部３０へ向けて押圧する。したがって、紐部材１０は常に区域４５と稜部３０の間に挟持される。紐部材１０が第一端部１９から第二端部２０へ向けて滑動するよう矢印Ｆ１に沿って付勢される場合には、区域４５は、溝５０によって案内されることにより、第二端部２０へ向けて、かつ稜部３０の離間方向に駆動される。これにより、紐部材の挟持は最小となって、紐部材の滑動は容易になり、靴は締め付けられる。
【００３５】
逆に、紐部材１０が、第二端部２０から第一端部１９へ向かう緊縛解除の方向である矢印Ｆ２に沿って付勢される場合には、区域４５は第一端部１９へ向けて、かつ溝５０によって稜部３０の接近方向に駆動される。このようにして、通路３４の断面は区域４５の高さにまで減少する。その結果、紐部材１０の摘み力は非常に強くなる。事実、この紐部材は稜部と区域４５の間で固定される。この紐の固定は、紐に掛かる引張力が強くなるにつれて益々強くなる。その上、固定効果を更に改善するため、稜部３０は区域４５に面して歯部５３を有する。
【００３６】
第一の固定装置１５の緊縛を解除したいと思うときには、装置の使用者は紐部材１０に作用を及ぼさなければならない。実際のところ、固定装置１５はロックの解除を指示する部材を備えていない。靴を緩めるために固定装置１５を手動操作することはできない。開口６０は自由面内に設けた切り込みの形状を呈している。したがって、第一の解除用開口６０を本体１８内に配置する。このためには、開口６０は稜部３０に平行であり、かつ第一の窪み部３７ならびに第一の通路３４に沿って進む。言い換えると、開口６０は、自由面２４の側から第一の通路を開く。もちろん、開口６０は第一の装置１５の外部に通じる。そのうえ、開口６０は、第一の通路３４の第一の開口３５および第二の開口３６にそれぞれ連通している。したがって、紐部材１０の固定を解除するには、矢印Ｆ３に沿って、靴胴部３を離間させる方向に紐部材を手動で付勢するだけで十分である。この解除方向は靴胴部３に対して、特に小舌状部９に対してほぼ垂直であり、かつまた支承面２３に対して垂直である。第一の通路３４を除いて、紐部材１０の解除方向もまた第一の装置１５内での紐部材の滑動方向に対してほぼ垂直である。この構造に連関する利点は紐部材の固定を解除する作用を容易かつ迅速に行えることである。第一の装置１５の紐部材１０を完全に自由とするためには、ただ一回の動作で十分である。
【００３７】
もちろん、靴１を改めて緊縛するには、第一の開口６０を介して第一の窪み部３３内に紐部材１０を差し込むだけで十分である。この操作もまた容易で、かつ迅速に行うことができる。次いで、本明細書に記載されているように、紐部材を第一の通路３４の方向に引っ張ることによって、紐部材に張力が得られる。
【００３８】
補足的に述べるならば、第一の紐固定装置１５は留め輪６１を含む。この留め輪は第一のアイランド３１から出て、第一端部１９へ向けられ、かつ支承面２３から離れている延長部６２を含む。これら延長部６２と、アイランド３１と、支承面２３との間にある空間が留め輪６１を形成する。この留め輪は、第一の通路３４の開口部６０を介して、紐部材１０が外れると同時に外れる方向に開いている。しかしながら、別のやり方として、留め輪を閉じたままにしておいてもよい。固定具の同じ利用方法によれば、この留め輪を固定効果のみを有するようにして、取り除いてもよい。
【００３９】
紐部材が通路３４内を滑動するとき、紐部材１０も同じく留め輪６１内を滑動する。こうすると、紐部材１０は、支承面２３に、あるいは自由面２４に、あるいはまた、固定装置が一体連結されている靴胴部の部分にほぼ平行な平面内を滑動する。この場合、紐部材１０の滑動（つまり、紐部材の緊縛）は小舌状部９の包絡面内で行われる。指摘すべきことは、靴の緊縛を解除する場合、開口部６０を介して紐部材１０の外れる方向が包絡面にほぼ垂直であるということである。局部的には、つまり各固定装置の箇所において、紐部材１０が窪み部３３あるいは通路３４の正中面（つまり、包絡面）内にとどまる。
【００４０】
もちろん、第一の装置１５について記載したことは、第二の装置１６についての記載と同一である。したがって、図面の読解を容易にするために、この第二の紐固定装置１６に対応する部材、とりわけ、ワイヤーまたは紐（線条部材）を通すための第二の通路６４を画定する第二の窪み部６３と、第二の固定部材６５と、この第二の固定部材６５の案内手段６６と、第二の弾性手段６７と、第二の線条部材離脱用開口６８とを準備する。
【００４１】
補足的に述べると、靴胴部３に固定装置１５、１６を一体連結する手段、つまり、ここでは小舌状部９が設けられる。これらの手段は、図５から分かるように、ピン６９、７０によって象徴的に表される。支承面の側方に配置されるこれらのピン６９、７０は、例えば、ネジ釘（ここでは図示されていない）を収容するようにしてもよい。これらのピンは靴胴部３を横切ってピン内にネジ止めされるようにしてもよい。もちろん、これ以外の一体連結手段を用いることもできる。
【００４２】
一般的なやり方として、本発明は、当業者に公知となっている材料と実施技術とを使用することによって実現される。特に、各構成要素をプラスチック材料で作るのが好ましい。
【００４３】
もちろん、本発明は以上に記載した実施態様に限定されるものではなく、別記の特許請求の範囲に含まれる同等の技術を包含する。特に、２の紐部材固定装置１５、１６に共通の本体１８を用いる場合、装置毎に別々の本体を準備してもよい。また、対象物が２以上の固定装置を含むようにしてもよい。
【００４４】
靴の場合には、記載する実施形態は、高胴部を含む靴に向けられるようにする。また、この靴は低胴部を含むようにしてもよい。さらに、固定装置は靴胴部の任意の場所に配設させてもよい。
【００４５】
靴には、使用者の足によく適合する部材を選ぶ。本発明はまた、靴内に収容するための上靴（内靴）、あるいはまた、鞄や衣服のような靴以外の物品にも応用される。
【００４６】
本発明は、ワイヤー、線条部材、あるいは紐部材を固定するための装置を包含する緊締用装置にも応用される。
【図面の簡単な説明】
【００４７】
【図１】本発明の実施態様による、ワイヤー（紐部材）と（紐部材の）固定装置を備えた靴の全体図を示す前方斜視図である。
【図２】靴に連接した２の装置の自由面を示す側面図である。
【図３】靴に連接した本発明の装置を示す斜視図である。
【図４】図３のＶ−Ｖ線に沿って見た本発明装置の支承面に平行な面内を示す断面図である。
【図５】図３のＶ−Ｖ線に沿って見た装置の支承面を示す平面図である。
【図６】図２のＶＩ−ＶＩに沿って見た断面図である。
【符号の説明】
【００４８】
１０        線条部材
１５        紐部材の固定装置
１６        第二の固定装置
１８        本体
２１        第一の縁部
２３        支承面
２４        自由面
３０        長手方向の稜部
３１        第一のアイランド
３３        第一の窪み部
３４        第一の通路
３７        第一の固定部材
３８        第一の案内手段
３９        第一の弾性手段
４５        区域
４６        窪み部
４８、５３  歯部
４９        ピン
５０        案内部材（ガイド）
５１        バネ
６１        留め輪
６２        延長部
【図１】
2007195983.tif 000003
【図２】
2007195983.tif 000004
【図３】
2007195983.tif 000005
【図４】
2007195983.tif 000006
【図５】
2007195983.tif 000007
【図６】
2007195983.tif 000008